(57)【特許請求の範囲】
【請求項１】
建物開口部に装着するための一対の縦及び横の外枠材により構成される外枠と、一対の縦及び横の枠材により構成される網戸枠内にネットが張設され、上記外枠内に嵌装して、上下一対の上記横の枠材の対応する中間位置において鉛直回転軸により該外枠における上下の横の外枠材に回転自在に支持されている網戸と、上記網戸を外枠内において同一面内に嵌装された状態に保持する保持機構とを備え、
上記一対の鉛直回転軸が、該回転軸の周りで網戸を回転させた状態で、外枠における上下の横の外枠材に沿って横移動可能に支持され、
上下一対の鉛直回転軸に、その横移動を同期させる連係手段を設けている、
ことを特徴とする回転開閉式網戸装置。
【請求項２】
上記一対の鉛直回転軸に、上記網戸が外枠内において該外枠と同一面内にあるときの該回転軸位置に向かって弾性的に復帰移動させる復帰機構を設けている、
ことを特徴とする請求項１に記載の回転開閉式網戸装置。
【請求項３】
上記一対の鉛直回転軸に、網戸の該鉛直回転軸の周りの回転に連動して該回転軸を外枠における上下の横の外枠材に沿って横移動させる連動機構を付設している、
ことを特徴とする請求項１に記載の回転開閉式網戸装置。
【請求項４】
上記連動機構が、可撓の連係ワイヤーにより、上記鉛直回転軸の横移動のための支持部材を、外枠の一側端の転向子を経て、網戸枠における上記外枠の一側端側に連結することにより構成されている、
ことを特徴とする請求項３に記載の回転開閉式網戸装置。
【請求項５】
上記一対の鉛直回転軸に、網戸の該鉛直回転軸の周りの回転に連動して横移動した該回転軸を横の外枠材に沿ってもとの位置に弾性的に復帰移動させる復帰機構を設けている、
ことを特徴とする請求項３または４に記載の回転開閉式網戸装置。
【発明の詳細な説明】
【技術分野】
【０００１】
本発明は、網戸を開いて人が出入りすることがある建物開口部、あるいは、人が出入りすることがなくても、手足または物品の出し入れに供する開口が得られるようにしたい建物開口部に設置する網戸を、簡易な押圧操作で開閉できるようにした回転開閉式網戸装置に関するものである。
【背景技術】
【０００２】
引き違い戸を設置して人の出入りを可能にしている建物開口部に網戸を設置する場合、上記引き違い戸と同様に、横スライド式に開閉できるようにした網戸を設けるのが一般的である。また、上記引き違い戸を設置している建物開口部に限らず、各種の開閉戸を備えた建物開口部においても、横スライド式に開閉できるようにした網戸が設けられている。そして、上記建物開口部に設置した網戸を利用している状態では、当該開口部の開閉戸を開放している。そこで、当該開口部から人が出入りしようとする場合には、横スライド式の網戸のみを開放すればよいが、例えば、両手がふさがっているとか、両手が汚れていたり、濡れていたりするときには、何らかの手段で網戸のみを開放できればよいが、手による網戸の横スライド操作は困難であり、そのため、身体の他の一部での開放操作を可能にすることなどが望まれる。
【発明の概要】
【発明が解決しようとする課題】
【０００３】
本発明の主たる技術的課題は、手による網戸の横スライド操作を行わなくても、例えば腕や肩その他の身体の一部により、鉛直回転軸で回転可能に支持されている網戸の一部を押圧するだけで、当該網戸を開閉できるようにした回転開閉式網戸装置を提供することにある。
【０００４】
本発明の他の技術的課題は、上記鉛直回転軸の周りで回転させた網戸の鉛直回転軸の横移動により、網戸の開放による通路部分の巾の拡大を可能にした回転開閉式網戸装置を提供することにある。
本発明の更に他の技術的課題は、上記網戸の一部を押圧して当該網戸を開閉できるだけでなく、該押圧の操作のみにより網戸の開放による通路部分の巾の拡大をも可能にした回転開閉式網戸装置を提供することにある。
【課題を解決するための手段】
【０００５】
上記課題を解決するため、本発明によれば、建物開口部に装着するための一対の縦及び横の外枠材により構成される外枠と、一対の縦及び横の枠材により構成される網戸枠内にネットが張設され、上記外枠内に嵌装して、上下一対の上記横の枠材の対応する中間位置において鉛直回転軸により該外枠における上下の横の外枠材に回転自在に支持されている網戸と、上記網戸を外枠内において同一面内に嵌装された状態に保持する保持機構とを備え、上記一対の鉛直回転軸が、該回転軸の周りで網戸を回転させた状態で、外枠における上下の横の外枠材に沿って横移動可能に支持され、上下一対の鉛直回転軸に、その横移動を同期させる連係手段を設けていることを特徴とする回転開閉式網戸装置が提供される。
【０００７】
更に、上述したように、一対の鉛直回転軸を外枠における上下の横の外枠材に沿って横移動可能に支持させる場合には、上記一対の鉛直回転軸に、上記網戸が外枠内において該外枠と同一面内にあるときの該回転軸位置に向かって弾性的に復帰移動させる復帰機構を設けることができ、また、上記一対の鉛直回転軸に、網戸の該鉛直回転軸の周りの回転に連動して該回転軸を外枠における上下の横の外枠材に沿って横移動させる連動機構を付設することができる。
【０００８】
上記連動機構としては、可撓の連係ワイヤーにより、上記鉛直回転軸の横移動のための支持部材を、外枠の一側端の転向子を経て、網戸枠における上記外枠の一側端側に連結することにより構成するのが、簡単な構成により低コスト化するのに有効であるが、他の構成を用いることもできる。
また、上記連動機構を備えた場合、一対の鉛直回転軸に、網戸の該鉛直回転軸の周りの回転に連動して横移動した該回転軸を横の外枠材に沿ってもとの位置に弾性的に復帰移動させる復帰機構を設けることもできる。
【発明の効果】
【０００９】
以上に詳述した本発明の回転開閉式網戸装置によれば、手による網戸の横スライド操作を行わなくても、例えば腕や肩その他の身体の一部により、鉛直回転軸で回転可能に支持されている網戸の一部を押圧するだけで、当該網戸を開閉することができる。
また、上記鉛直回転軸の周りで回転させた網戸の鉛直回転軸の移動により、網戸の開放による通路部分の巾の拡大を可能にすることができ、更に、上記網戸の一部を押圧して当該網戸を開閉できるだけでなく、該押圧の操作のみにより網戸の開放による通路部分の巾の拡大をも可能にすることができる。
【図面の簡単な説明】
【００１０】
【図１】本発明に係る回転開閉式網戸装置の第１実施例におけるネット張設状態を示す縦断側面図である。
【図２】同実施例における外枠内の網戸の回転によるネット開放状態を示す縦断側面図である。
【図３】図１の水平断面図である。
【図４】図３の開放した網戸の鉛直回転軸の移動により開放部分を拡大した状態を示す水平断面図である。
【図５】同実施例における上下鉛直回転軸の連動機構及び該回転軸の復帰機構を模式的に示す正面図である。
【図６】図５の側断面図である。
【図７】同水平断面図である。
【図８】本発明に係る回転開閉式網戸装置の第２実施例の連動機構の構成を模式的に示す正面図である。
【図９】同水平断面図である。
【図１０】網戸を鉛直回転軸の周りでの回転により開放したときの状態を示す水平断面図である。
【発明を実施するための形態】
【００１１】
図１〜図７は、本発明に係る回転開閉式網戸装置の第１実施例を示している。この回転開閉式網戸装置１は、図１〜図３に示すように、引き違い戸等を設置して人の出入りを可能にするような建物開口部２を主たる設置対象とし、仮に人が出入りすることがなくても手足または物の出し入れに供する建物開口部２においても用い得るもので、図示の実施例では、該建物開口部２に取り付けられたサッシ３におけるガラス障子４の外側に、該サッシ３の網戸取付用レール３ａを用いて上記回転開閉式網戸装置１を装着できるようにしている。しかしながら、そのような設置態様に限定されるものではない。
【００１２】
図１〜図４の回転開閉式網戸装置１について詳細に説明すると、この網戸装置１は、基本的には、左右一対の縦の外枠材１１及び上下一対の横の外枠材１２を方形に結合することにより構成される外枠１０と、該外枠１０内に嵌装されて、左右一対の縦の枠材２１及び上下一対の横の枠材２２を方形に結合することにより構成される網戸枠２３内にネット２４が張設され、上記一対の横の枠材２２の相互に対応する中間位置において、上記外枠１０の上下一対の横の外枠材１２に鉛直回転軸１３により回転自在に支持されている網戸２０と、該網戸２０を外枠１０内においてそれと同一面内に嵌装された状態に保持する保持機構３０とを備えたものである。
【００１３】
更に具体的に説明すると、建物開口部２に装着される上記外枠１０は、上記サッシ３の網戸取付用レール３ａに装着するための取付金具１４を備え、それによって該レール３ａに固定的に取り付けるようにしたもので、該外枠１０における上下一対の横の外枠材１２には、上記一対の鉛直回転軸１３の支持部材１３ａが、転輪１５により外枠材１２に沿って横移動可能に支持され、それらの鉛直回転軸１３に、網戸枠２３における上下の横の枠材２２の中央部が回転自在に支持されている。従って、上記網戸枠２３は上下一対の鉛直回転軸１３により外枠材１２に回転自在に支持されている。
【００１４】
上記網戸２０は、その防虫機能を発揮させるには、外枠１０内において該外枠１０と同一面内に嵌装された状態に保持する必要があり、上記保持機構３０はこの位置に網戸２０を保持して風等で回転しないようにするためのもので、具体的には、図３、図４に示すように、網戸枠２３の縦の枠材２１の一部等から弾性的に突出している突子を備え、それが外枠１０の縦の外枠材１１の凹部に係止して網戸２０の回動を阻止するが、網戸２０の回転のために網戸枠２３の縦の枠材２１の一部を押圧すれば、上記突子が容易に凹部から離脱して網戸２０が回転するように構成している。また、網戸枠２３の外周と外枠１０の内周との間は、モヘアや弾性材等の封隙材３１により虫が進入しないように封じられるが、この封隙材３１を利用して上記保持機構３０の機能を兼備させることもできる。
【００１５】
上記鉛直回転軸１３の支持部材１３ａは、それを転輪１５に支持させて、該転輪１５により外枠１０における上下の横の外枠材１２に沿って横移動可能にしているが、網戸２０が外枠１０内において該外枠１０と同一面内に嵌装された状態にあるときは外枠１０の存在により横移動させることができず、そのため、該網戸２０の外枠材１２に沿う横移動は、図３に示すように該網戸２０を鉛直回転軸１３の周りで回転させたうえで、図４に示すように移動させることになる。
【００１６】
上記実施例では、上述したように、鉛直回転軸１３の支持部材１３ａが転輪１５により外枠材１２に沿って横移動可能に支持されたものとしているが、網戸枠２３が上下の横の枠材２２の中央において上記鉛直回転軸１３に連結され、該鉛直回転軸１３が外枠１０における上下の横の外枠材１２の中央に横移動不能に支持されたものとすることもでき、更に、網戸枠２３がその上下の横の枠材２２の中央ではなく、中央から一方側に偏寄した位置において上記鉛直回転軸１３に連結され、外枠１０における上下の横の外枠材１２においても、同様に一方側に偏寄した位置において該鉛直回転軸１３を横移動不能に支持したものとすることもできる。
【００１７】
このように、網戸枠２３及び外枠１０の中央から一方側に偏寄した位置においてそれらを鉛直回転軸１３で連結すると、特に、鉛直回転軸１３が横移動しないようにした場合においても、該鉛直回転軸１３の位置により網戸２０の開放時の通路部分の巾が制限されながらも、網戸枠２３における該鉛直回転軸１３からより離れている縦の枠材２１側を押圧して網戸２０を開閉することにより、転輪１５により鉛直回転軸１３を横移動させる場合と同様に、網戸２０の開放時における通路部分の巾を大きく設定することができる。
【００１８】
上記一対の鉛直回転軸１３が、外枠１０における上下の横の外枠材１２に沿って横移動可能に支持されている場合、上下一対の鉛直回転軸１３を相互に同期して横移動させることができればよいが、それができないと、網戸２０が傾倒して円滑に移動させることができなくなることもある。その横移動を同期させる連係手段３３としては、例えば、図５〜図７に示しているように、外枠１０の一方の縦の外枠材１１内に挿通したループ状のワイヤー３４を、それぞれ該縦の外枠材１１の上下端において転向させて横の外枠材１２内に挿通し、それらの両端をそれぞれ上下の横の外枠材１２の他端側の転向子３５に巻き掛けて折り返すように張設し、上下の横の外枠材１２内において鉛直回転軸１３の支持部材１３ａをそれぞれ異なる側のワイヤー３４に連結するような構成を採用することができる。これにより、図４及び図５からわかるように回転させた網戸２０を横移動させると、常に上下の鉛直回転軸１３が同方向に同期移動することになる。しかしながら、上記連係手段３３は、必ずしもかかる構成に限るものではない。
【００１９】
また、上記一対の鉛直回転軸１３には、図４に示すような開放状態にある上記網戸２０を、それが外枠１０内において該外枠１０と同一面内にあるときの該回転軸位置に向かって弾性的に復帰移動させる復帰機構２５を設けている。この復帰機構２５としては、図５に例示するように、外枠１０の一方の縦の外枠材１１中に引張ばね２６の一端２６ａを固定し、その他端に連結したワイヤー２７を該外枠材１１の端部まで導いて、そこで転向子２８により横の外枠材１２内に転向させ、網戸２０が外枠１０内において該外枠１０と同一面内にあるときの回転軸１３の位置に設けた転向子２９を介して鉛直回転軸１３の支持部材１３ａに連結するなどの手段を採用することができる。このような復帰機構２５を用いると、鉛直回転軸１３が図４の左右何れの方向に移動した場合でも、引張ばね２６の引張力がその鉛直回転軸１３を図５の位置に戻す復帰力として作用することになる。なお、図４のような網戸２０の移動位置に、該網戸２０を一時的に保持しておきたい場合には、その位置に網戸２０を一時的に係止する係止具を付設しておく必要がある。
【００２０】
上記第１実施例では、図３及び図４に示しているように、網戸装置１の外枠１０をサッシ３の外観右側に取付金具１４で固定するようにした例を示しているが、それをサッシ３の左側に固定することもでき、また、上記取付金具１４によってサッシ３の網戸取付用レール３ａに固定的に装着することなく、摺動金具によって上記サッシ３の外観右側と左側との間で移動可能にすることもできる。
【００２１】
なお、この回転開閉式網戸装置は、網戸２０の一部、望ましくは網戸枠２３の一部を手や身体の一部によって押圧することにより開放することを前提としているので、強度的に不十分なネット２４の押圧を避けるために該ネット２４の一部に押圧に供する金属あるいは合成樹脂からなる多孔板２４ａを覆設している。
【００２２】
上記構成を有する第１実施例の回転開閉式網戸装置は、人が出入りする建物開口部に設置し、当該開口部２から人が出入りしようとする場合に、両手がふさがっているとか、両手が汚れていたり濡れていたりして、手による網戸の開放操作が困難であっても、身体の他の一部、例えば腕や肩、足、あるいは身体の全体で網戸枠２３や多孔板２４ａの開放側を押圧することにより、上記網戸２０をその保持機構３０による閉止力に抗して開放することができ、また、前記復帰機構２５を設けておくことにより、網戸枠２３等の押圧を解除したときに網戸２０を自動閉止させることができる。また、鉛直回転軸１３の周りで回転させた網戸２０の該鉛直回転軸の横移動を可能にし、網戸２０の開放の場合と同様に、身体の一部等で網戸を該横移動方向に押圧することにより、網戸２０の開放による通路部分の巾を一層拡大させることができる。
【００２３】
図８〜図１０に示す第２実施例は、上記第１実施例の回転開閉式網戸装置１において、網戸枠２３の一部を押圧して網戸２０を鉛直回転軸１３の周りで回転させる際の網戸２０の回転による開放と、該回転軸１３を外枠１０の横の外枠材１２に沿って横移動させる動作とを連動させるための連動機構４０を付設したものである。そのため、以下においては該連動機構４０についてのみ説明し、その他の第１実施例と共通する部分については、図中に第１実施例と同じ符号を付してそれらの構成及び作用についての説明を省略する。
【００２４】
上記連動機構４０の具体的構成としては、図８に明瞭に示すように、上記鉛直回転軸１３の横移動のための支持部材１３ａから外枠１０の一側端の転向子４２を経て、網戸２０の網戸枠２３における上記外枠１０の一側端側に連結された可撓の連係ワイヤー４１を用いるのが、簡単な構成により低コスト化できるが、他の構成を用いることもできる。
このような連動機構４０によれば、図９に示す状態から同図の網戸２０の左側部分を押圧すると、図１０に示すように、網戸２０が回転して開放すると同時に、鉛直回転軸１３の支持部材１３ａが、外枠１０の一側端の転向子４２を経て網戸枠２３に連結された可撓の連係ワイヤー４１により右側に牽引され、鉛直回転軸１３が横の外枠材１２の一側に向かって移動することになり、つまり、上記網戸２０の一部を押圧して当該網戸を開放できるだけでなく、該押圧の操作のみにより網戸２０の開放による通路部分の巾の拡大をも行うことができる。
【００２５】
また、上記連動機構４０を備えた回転開閉式網戸装置において、前述した図５の復帰機構と同じ構成の復帰機構４５を設けておくと、網戸２０の該鉛直回転軸１３の周りの回転に連動して横移動した上記鉛直回転軸１３を、横の外枠材１２に沿ってもとの位置に弾性的に復帰移動させると同時に網戸２０をもとの閉位置に復帰させることができる。
なお、上記図８〜図１０に示した第２実施例のその他の構成及び作用は、実質的に図１〜図７で説明した説明した第１実施例の回転開閉式網戸装置１と同一であるから、それらの説明は省略する。
【符号の説明】
【００２６】
１      回転開閉式網戸装置
２      建物開口部
１０      外枠
１１      縦の外枠材
１２      横の外枠材
１３      鉛直回転軸
１３ａ    支持部材
２０      網戸
２１      縦の枠材
２２      横の枠材
２３      網戸枠
２４      ネット
２５，４５    復帰機構
３０      保持機構
３３      連係手段
４０      連動機構
４１      連係ワイヤー
【図１】
0005606903.tif 000002
【図２】
0005606903.tif 000003
【図３】
0005606903.tif 000004
【図４】
0005606903.tif 000005
【図５】
0005606903.tif 000006
【図６】
0005606903.tif 000007
【図７】
0005606903.tif 000008
【図８】
0005606903.tif 000009
【図９】
0005606903.tif 000010
【図１０】
0005606903.tif 000011